Podtech/llm-jp-corpus-v4-ja_patent huggingface dataset:
【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
多層赤外線（ＩＲ）反射フィルムであって、
強め合う干渉及び弱め合う干渉によって光を反射するように配置された複数のポリマー層を備える光学繰り返し単位を備え、前記複数の光学的なポリマー層は、光学層Ａ及びＢを含み、前記光学層Ａは、高屈折率ポリマー層であり、前記光学層Ｂは、１つ以上のフルオロポリマーを含む低屈折率等方性ポリマー層であり、
前記フィルムは、約８５０ｎｍ〜約１８５０ｎｍの近赤外波長領域において約５０％〜約１００％の平均反射率を有し、
前記フィルムは、可視光領域において約７０％〜約９０％の平均透過率を有し、
前記光学層Ａは、約３５０ｎｍ〜約４００ｎｍの紫外線（ＵＶ）波長領域において１％未満の光を吸収する、多層赤外線（ＩＲ）反射フィルム。
【請求項２】
前記光学層Ｂは、約３０モル％〜約８０モル％のテトラフルオロエチレン（ＴＦＥ）、及び約２０モル％〜約７０モル％のヘキサフルオロプロピレン（ＨＦＰ）を含む、請求項１に記載のフィルム。
【請求項３】
前記光学層Ａは、ポリエチレンテレフタレート（ＰＥＴ）又はポリメチルメタクリレート（ＰＭＭＡ）を含むポリエステルを有する、請求項１に記載のフィルム。
【請求項４】
前記光学層Ａの面内屈折率は、前記光学層Ａの面内屈折率よりも約０．２６〜約０．３２高い、請求項１に記載のフィルム。
【請求項５】
主面を有する窓であって、請求項１〜４のいずれか一項に記載のフィルムが、前記主面に設けられている、窓。
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
プロセッサとメモリ装置と複数の無線通信信号インタフェースとを有するスマートフォンによって実行される、駐車エリアの運営者に関連付けられているホストアプリケーションと駐車料金管理プロバイダに関連付けられているソフトウェア開発キッドアプリケーション（ＳＤＫアプリケーション）との間での駐車場アクセス情報を通信する方法であって、該方法によって、外部スマートオブジェクトによって保護された前記駐車エリアへのアクセスが、前記スマートフォンを携行するユーザに対してもたらされ、該外部スマートオブジェクトは、前記ＳＤＫアプリケーションの作動によって制御可能であり且つ前記スマートフォンと前記外部スマートオブジェクトとの間で前記ＳＤＫアプリケーションの作動に応答して交換される無線パーソナルエリアネットワーク通信（ＷＰＡＮ通信）によって駆動可能であり、該方法は、
前記スマートフォンの前記メモリ装置にクロスプラットフォームモバイルアプリケーションをダウンロードするステップであって、前記クロスプラットフォームモバイルアプリケーションは、前記ホストアプリケーション及び前記ＳＤＫアプリケーションにそれぞれ対応するネイティブアプリケーションマシン可読命令と非ネイティブアプリケーションマシン可読命令とを含み、前記ネイティブアプリケーションマシン可読命令が前記プロセッサによって実行されると該プロセッサに前記スマートフォンの前記複数の無線通信信号インタフェースを動員させて前記ホストアプリケーションのネイティブ機能を提供し、スクリプト言語ベースアプリケーションマシン可読命令が前記プロセッサによって実行されると該プロセッサにネイティブブリッジビューを提示させて前記ホストアプリケーションの前記ネイティブ機能を再現させる、ステップと、
前記ネイティブアプリケーションマシン可読命令を前記プロセッサが実行したことに応答して、前記スマートフォンの前記複数の無線通信信号インタフェースを介して、前記スマートフォンの位置と前記外部スマートオブジェクトの存在情報とを含む前記駐車場アクセス情報を、取得するステップと、
前記スクリプト言語ベースアプリケーションマシン可読命令を前記プロセッサが実行したことに応答して、前記スマートフォンと駐車料金管理サーバとの間での無線通信によって、前記ＳＤＫアプリケーションから前記駐車場アクセス情報を提供するステップと、
前記駐車場アクセス情報を提供するステップに応答して、前記ＷＰＡＮ通信を生成して、前記ＳＤＫアプリケーションの作動によって利用可能とされた制御に基づいて前記外部スマートオブジェクトを駆動するステップと、
を含む、方法。
【請求項２】
請求項１に記載の方法において、前記スマートフォンの前記ユーザに対して前記クロスプラットフォームモバイルアプリケーションの共通ユーザインタフェース（ＵＩ）スキームを提示して、前記ネイティブブリッジビュー内において前記ホストアプリケーションの前記ネイティブ機能を再現するステップをさらに含む、方法。
【請求項３】
請求項２に記載の方法において、前記共通ＵＩスキームは、前記ホストアプリケーションのネイティブＵＩ要素と前記ＳＤＫアプリケーションのスタイル命令によって定義されている、方法。
【請求項４】
請求項１に記載の方法において、前記位置をＧＰＳから取得するステップを更に含む、方法。
【請求項５】
請求項１に記載の方法において、前記存在情報を前記外部スマートオブジェクトから送信されたＢＬＥ信号から取得するステップを更に含む、方法。
【請求項６】
請求項１に記載の方法において、前記スクリプト言語ベースアプリケーションマシン可読命令は前記ＳＤＫアプリケーションの前記サーバからダウンロードされたＪａｖａＳｃｒｉｐｔを含む、方法。
【請求項７】
請求項１に記載の方法において、前記スクリプト言語ベースアプリケーションマシン可読命令を前記スマートフォンにダウンロードさせるリンクを含むメッセージを受信するステップをさらに含む、方法。
【請求項８】
請求項１に記載の方法において、前記存在情報はビーコン識別子（ＩＤ）又は受信信号強度指示値（ＲＳＳＩ）を含む、方法。
【請求項９】
駐車エリアの運営者に関連付けられているホストアプリケーションと駐車料金管理プロバイダに関連付けられているソフトウェア開発キッドアプリケーション（ＳＤＫアプリケーション）との間で駐車場アクセス情報を通信するためのシステムであって、
前記駐車エリアを保護するための外部スマートオブジェクトであって、前記ＳＤＫアプリケーションの作動によって制御可能であり且つ無線パーソナルエリアネットワーク通信（ＷＰＡＮ通信）によって駆動可能である、外部スマートオブジェクトと、
スクリプト言語ベースのネイティブブリッジの作動によって互いに機能的に相互作用する前記ホストアプリケーションと前記ＳＤＫアプリケーションとを含むクロスプラットフォームモバイルアプリケーションを有するモバイル機器であって、前記クロスプラットフォームモバイルアプリケーションは、前記ＷＰＡＮ通信を前記外部スマートオブジェクトと交換して駐車場アクセス情報を前記モバイル機器から取得するためのネイティブブリッジを提供する、前記スクリプト言語ベースのネイティブブリッジ内で作動するコンピュータコードを含む、モバイル機器と、
駐車料金管理サーバであって、前記ＳＤＫアプリケーションと通信して、前記ＳＤＫアプリケーションを介して提供された前記駐車場アクセス情報に基づいて前記駐車エリアに前記モバイル機器を携行するユーザがアクセスできるようにする、駐車料金管理サーバと
を備える、システム。
【請求項１０】
請求項９に記載のシステムにおいて、前記外部スマートオブジェクトはビーコンである、システム。
【請求項１１】
請求項９に記載のシステムにおいて、前記ＳＤＫアプリケーションは前記ホストアプリケーションのユーザインタフェースを再現するユーザインタフェースを含む、システム。
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
生体試料において二重陽性であるエキソソームを検出することを含む方法であって、エキソソームがＣＤ８１、ＣＤ６３、およびＣＤ９からなる群から選択される１以上のエキソソームバイオマーカーについて陽性であり、かつエキソソームがニューロン、アストロサイト、またはオリゴデンドロサイトに特異的な１以上の神経バイオマーカーについて陽性であり、それにより、試料における脳由来のエキソソームのレベルを定量する、方法。
【請求項２】
１以上の神経バイオマーカーが、ドーパミン受容体、セロトニン受容体、ＧＡＢＡ受容体、グルタミン酸受容体、オピオイド受容体、オレキシン受容体、アドレナリン受容体、ノルアドレナリン受容体、アセチルコリン受容体、およびドーパミントランスポーターからなる群から選択される、請求項１に記載の方法。
【請求項３】
１以上の神経バイオマーカーがＣＤ１７１、ＳＮＡＰ２５、ＥＡＡＴ１、ＯＭＧＰ、ＤＲ１、ＳＲ２Ａ、ＳＲ２Ｃ、ＧＡＢＡＢ１、ＧｌｕＲ−１、ＫＯＲ、ＯＲ、またはＤＡＴから選択される、請求項１に記載の方法。
【請求項４】
付着された少なくとも１つのキャプチャー試薬を含む固体支持体上のエキソソームを捕捉することをさらに含み、ここで、キャプチャー試薬がＣＤ８１、ＣＤ６３、ＣＤ９からなる群からの少なくとも１つのバイオマーカーに結合する、請求項１に記載の方法。
【請求項５】
付着された少なくとも１つのキャプチャー試薬を含む固体支持体上のエキソソームを捕捉することをさらに含み、ここで、キャプチャー試薬がドーパミン受容体、セロトニン受容体、ＧＡＢＡ受容体、グルタミン酸受容体、オピオイド受容体、オレキシン受容体、アドレナリン受容体、ノルアドレナリン受容体、アセチルコリン受容体、およびドーパミントランスポーターからなる群からの少なくとも１つのバイオマーカーに結合する、請求項１に記載の方法。
【請求項６】
付着された少なくとも１つのキャプチャー試薬を含む固体支持体上のエキソソームを捕捉することをさらに含み、ここで、キャプチャー試薬がＳＮＡＰ２５、ＥＡＡＴ１、ＯＭＧＰ、ＤＲ１、ＳＲ２Ａ、ＳＲ２Ｃ、ＧＡＢＡＢ１、ＧｌｕＲ−１、ＫＯＲ、ＯＲ、およびＤＡＴからなる群からの少なくとも１つのバイオマーカーに結合する、請求項１に記載の方法。
【請求項７】
１以上のバイオマーカーのレベルが、生体試料におけるエキソソームの量を決定する、請求項１に記載の方法。
【請求項８】
生体試料が、全血、血清、血漿、尿、間質液、腹水、子宮頸部スワブ、涙、唾液、頬スワブ、皮膚、脳組織、および脳脊髄液からなる群から選択される、請求項１に記載の方法。
【請求項９】
エキソソームが、ニューロン由来のエキソソーム、アストロサイト由来のエキソソーム、オリゴデンドロサイト由来のエキソソーム、およびミクログリア由来のエキソソームからなる群から選択される、請求項１に記載の方法。
【請求項１０】
ニューロン由来のエキソソームが、シナプス前ドーパミン作動性ニューロン由来のエキソソーム、シナプス後ドーパミン作動性、セロトニン作動性、ＧＡＢＡ作動性、グルタミン酸作動性、およびオピオイドニューロン由来のエキソソームからなる群から選択される、請求項９に記載の方法。
【誤訳訂正書】
【提出日】令和2年7月28日(2020.7.28)
【誤訳訂正１】
【訂正対象書類名】明細書
【訂正対象項目名】００２２
【訂正方法】変更
【訂正の内容】
【００２２】
通信加入者によってどの攻撃が検出可能なのかを探索深度が決め手となるので、この情報は通信加入者の最大可能なセキュリティ支援を確かめるために使用されることが好ましい。これにより、リソースの最適配分も可能になる。
【誤訳訂正２】
【訂正対象書類名】明細書
【訂正対象項目名】００４５
【訂正方法】変更
【訂正の内容】
【００４５】
図５は、個々の通信加入者の最大可能検索深度を確認するための可能な方法を示す。この場合、方法の開始２０の後、選択された通信経路、又は通信と、関連する制御装置とに必要な通信要件は、最初に選択されたファイアウォールに送信される（例えば３から３““）。通信要件は、例えば、メッセージ頻度、パケットタイプ、又はプロトコルタイプ、及びセキュリティレベルを備えてもよい。ファイアウォール３から３““、又は別の制御ユニットは、通信２４に必要なリソースを計算し、それらを通信マトリックスに格納する。特に、必要なリソースは、使用されるプロトコルタイプに基づいて分類されている。必要とされる既知のプロトコル及び関連するリソースは、利用可能なデータベースとして提供可能である。特に新しいプロトコルタイプが使用される外部通信は、最大分析が行われるように分類されることが好ましい。すなわち未知のプロトコルの場合には、プロトコル内のどこで攻撃が隠されることが可能であるかは明らかではないので、全てのプロトコル層が最大バイト分析深度で検査されることが好ましい。
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
患者の放射線学的画像に関する記述レコメンデーションを生成するシステムであって、
プロセッサと、
ディスプレイと、
を含み、
前記プロセッサは、
前記患者の複数の第１の所見を抽出し、
前記複数の第１の所見を、前記患者のタイムラインにまとめ、
患者の集団の複数の第２の所見を抽出し、
前記患者の集団のタイムラインのセットを決定し、
前記タイムラインのセットにおいて、前記複数の第２の所見それぞれについて、所見が発生する条件付き確率を決定し、
前記ディスプレイは、前記患者のライムラインにおける前記複数の第１の所見と前記複数の第２の所見の前記条件付き確率とに少なくとも部分的に基づいて、前記記述レコメンデーションを表示する、システム。
【請求項２】
前記所見は、前記患者の医療記録から抽出される、請求項１に記載のシステム。
【請求項３】
前記医療記録は、放射線学的報告書、医用画像、撮像スキャン、臨床報告書又は実験室報告書の少なくとも１つを含む、請求項２に記載のシステム。
【請求項４】
前記プロセッサは更に、
基準によって、前記患者の集団を制限する、請求項１に記載のシステム。
【請求項５】
前記基準は、人種、性別、年齢層、国籍、地理的地域、期間、無作為化された量又は選択量の少なくとも１つを含む、請求項４に記載のシステム。
【請求項６】
前記複数の第１の所見及び前記複数の第２の所見は、体系化所見又は構造化所見の少なくとも一方である、請求項１に記載のシステム。
【請求項７】
前記記述レコメンデーションは、所定上限によって、数値的に制限される、請求項１に記載のシステム。
【請求項８】
患者の放射線学的画像に関する記述レコメンデーションを生成する方法であって、
前記患者の複数の第１の所見を抽出するステップと、
前記複数の第１の所見を、前記患者のタイムラインにまとめるステップと、
患者の集団の複数の第２の所見を抽出するステップと、
前記患者の集団のタイムラインのセットを決定するステップと、
前記タイムラインのセットにおいて、前記複数の第２の所見それぞれについて、所見の発生する条件付き確率を決定するステップと、
前記患者のライムラインにおける前記複数の第１の所見と前記複数の第２の所見の前記条件付き確率とに少なくとも部分的に基づいて、前記記述レコメンデーションを表示するステップと、
を含む、方法。
【請求項９】
前記所見は、前記患者の医療記録から抽出される、請求項８に記載の方法。
【請求項１０】
前記医療記録は、放射線学的報告書、医用画像、撮像スキャン、臨床報告書又は実験室報告書の少なくとも１つを含む、請求項９に記載の方法。
【請求項１１】
基準によって、前記患者の集団を制限するステップを更に含む、請求項８に記載の方法。
【請求項１２】
前記基準は、人種、性別、年齢層、国籍、地理的地域、期間、無作為化された量又は選択量の少なくとも１つを含む、請求項１１に記載の方法。
【請求項１３】
前記複数の第１の所見及び前記複数の第２の所見は、体系化所見又は構造化所見の少なくとも一方である、請求項８に記載の方法。
【請求項１４】
前記記述レコメンデーションは、所定上限によって、数値的に制限される、請求項８に記載の方法。
【請求項１５】
実行可能なプログラムが格納された非一時的コンピュータ可読記憶媒体であって、前記実行可能なプログラムは、患者の放射線学的画像に関する記述レコメンデーションを生成するための動作を行うようにプロセッサに命令し、前記動作は、
前記患者の複数の第１の所見を抽出する動作と、
前記複数の第１の所見を、前記患者のタイムラインにまとめる動作と、
患者の集団の複数の第２の所見を抽出する動作と、
前記患者の集団のタイムラインのセットを決定する動作と、
前記タイムラインのセットにおいて、前記複数の第２の所見それぞれについて、所見の発生する条件付き確率を決定する動作と、
前記患者のライムラインにおける前記複数の第１の所見と前記複数の第２の所見の前記条件付き確率とに少なくとも部分的に基づいて、前記記述レコメンデーションを表示する動作と、
を含む、非一時的なコンピュータ可読記憶媒体。
【請求項１６】
前記所見は、前記患者の医療記録から抽出される、請求項１５に記載の非一時的コンピュータ可読記憶媒体。
【請求項１７】
前記医療記録は、放射線学的報告書、医用画像、撮像スキャン、臨床報告書又は実験室報告書の少なくとも１つを含む、請求項１６に記載の非一時的コンピュータ可読記憶媒体。
【請求項１８】
前記プロセッサは更に、基準によって、前記患者の集団を制限する、請求項１５に記載の非一時的コンピュータ可読記憶媒体。
【請求項１９】
前記基準は、人種、性別、年齢層、国籍、地理的地域、期間、無作為化された量又は選択量の少なくとも１つを含む、請求項１８に記載の非一時的コンピュータ可読記憶媒体。
【請求項２０】
前記複数の第１の所見及び前記複数の第２の所見は、体系化所見又は構造化所見の少なくとも一方である、請求項１５に記載の非一時的コンピュータ可読記憶媒体。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
それぞれがメッセージを生成し、前記メッセージにタイムスタンプを添付する複数のライタと、
前記複数のライタから分離された複数のリーダであって、少なくとも１つのリーダが、前記複数のライタのうちの少なくとも２つのライタに加入し、少なくとも１つのリーダが、前記加入している少なくとも２つのライタからメッセージを受信し、前記メッセージに添付されたタイムスタンプに基づいて、前記少なくとも２つのライタからのメッセージを時系列順に配列してイベントストリームを生成する複数のリーダと、
を備える分散型コンピューティングシステム。
【請求項２】
請求項１において、
前記複数のライタのうちの少なくとも１つのライタと、前記複数のリーダのうちの少なくとも１つのリーダとにエンドユーザアプリケーションを通信可能に接続するゲートウェイを更に備えるシステム。
【請求項３】
請求項２において、
前記エンドユーザアプリケーションは、前記少なくとも１つのライタにメッセージを送信するシステム。
【請求項４】
請求項１において、
各ライタは、前記メッセージに一意のデジタル署名を添付するように構成されたシステム。
【請求項５】
請求項４において、
前記デジタル署名は、タイムスタンプ、メッセージの内容、ライタＩＤ、及びシーケンス番号の１つ以上に基づいているシステム。
【請求項６】
請求項１において、
前記少なくとも２つのライタからの以前に送信されたメッセージを保存するための１つ又は複数の中継器を更に備えるシステム。
【請求項７】
請求項６において、
前記１つ又は複数の中継器は、前記少なくとも１つのリーダからの再送信の要求に応答して、保存されたメッセージを読み出し、送信するシステム。
【請求項８】
請求項１において、
前記複数のライタのうちの１つは、前記複数のライタに新しいライタを追加するように構成されたシステム。
【請求項９】
請求項１において、
前記複数のライタのうちの１つは、前記複数のライタのうちの別のライタを削除するように構成されたシステム。
【請求項１０】
請求項１において、
前記複数のライタは、ハートビートを周期的に送信するように構成されたシステム。
【請求項１１】
請求項１において、
異なるライタによって生成された少なくとも２つのメッセージがトピック毎に編成されるシステム。
【請求項１２】
ライタデバイスであって、
クロック信号を生成するクロックと、
ゲートウェイデバイスから送信された着信メッセージに基づいて発信メッセージを生成し、前記クロック信号に基づいて前記発信メッセージにタイムスタンプを添付し、前記発信メッセージを１つ又は複数のリーダデバイスに送信するプロセッサと、を備え、
前記プロセッサは、前記ライタデバイスの外部にある前記ゲートウェイデバイスと接続され、前記ゲートウェイデバイスは、他のネットワークエンティティからメッセージを受信し、当該メッセージを前記プロセッサに送信するライタデバイス。
【請求項１３】
請求項１２において、
以前に送信されたメッセージを保存するためのキャッシュを更に備えるライタデバイス。
【請求項１４】
請求項１３において、
前記キャッシュは、前記保存されたメッセージの要求時に応じた再送信のために前記保存されたメッセージを取り出すように構成されたライタデバイス。
【請求項１５】
請求項１２において、
前記プロセッサは、前記発信メッセージにデジタル署名を添付するように構成されたライタデバイス。
【請求項１６】
請求項１５において、
前記デジタル署名は、タイムスタンプ、メッセージの内容、ライタＩＤ、及びシーケンス番号の１つ以上に基づいているライタデバイス。
【請求項１７】
請求項１２において、
前記プロセッサは、定期的にハートビートを送信するように構成されたライタデバイス。
【請求項１８】
請求項１２において、
前記クロックは、分散型コンピューティングネットワーク内の他のライタの他のクロックと同期するライタデバイス。
【請求項１９】
請求項１２において、
前記ライタデバイスは、前記発信メッセージを１つ以上のリーダデバイスに直接送信するライタデバイス。
【請求項２０】
請求項１２において、
前記ライタデバイスは、前記ライタデバイスが廃止される前に「シーケンス終了」メッセージを送信するように構成されたライタデバイス。
【請求項２１】
イベントストリームを作成する方法において、
複数のライタからメッセージを受信することと、
前記メッセージに含まれるタイムスタンプに基づいて前記メッセージを時系列順に配列することと、
前記配列されたメッセージをイベントストリームとして送信することと、
を含む方法。
【請求項２２】
請求項２１において、
前記メッセージに含まれるデジタル署名に基づいてメッセージを認証することを更に含む方法。
【請求項２３】
請求項２１において、
前記イベントストリームは、ゲートウェイに送信され、前記ゲートウェイは、前記イベントストリームをエンドユーザアプリケーションに転送する方法。
【請求項２４】
請求項２１において、
ライタのセットを確立することと、
前記ライタのセットの各ライタから定期的なハートビートを受信することと、
を更に含む方法。
【請求項２５】
請求項２１において、
異なるライタによる少なくとも２つのメッセージをトピック毎に編成することを更に含む方法。
【請求項２６】
請求項１において、
前記複数のリーダのうちの少なくとも１つは、前記イベントストリームの先頭よりもむしろ特定のチェックポイントからのメッセージを、前記イベントストリームから受信し始めるように構成されたシステム。
【請求項２７】
請求項２１において、さらに、
記イベントストリームの先頭よりもむしろ特定のチェックポイントからのメッセージを、前記イベントストリームから受信し始めることを含む方法。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
ヘアスタイルの真直度値を確認するための方法および装置であって、以下の工程：
毛髪が描かれているデジタル画像中で少なくとも１つの毛髪分析領域を確認および／または定義する工程；
前記少なくとも１つの毛髪分析領域に描かれている毛髪の毛髪プロファイルを確認する工程、ここで、該毛髪分析領域に描かれた全ての毛髪の毛髪プロファイルが全体の毛髪プロファイルを形成する；
前記毛髪プロファイルの主方向を確認する工程；および、
前記毛髪プロファイルの主方向および前記全体の毛髪プロファイルに基づいて、ヘアスタイルの真直度値を確認する工程
を含む、方法および装置。
【請求項２】
毛髪プロファイルの主方向および全体の毛髪プロファイルに基づく、前記ヘアスタイルの真直度値の確認が、構造テンソルを用いてコヒーレンスを確認することおよび／または全体の毛髪プロファイルの角度分布の分散を確認することを含む、請求項１に記載の方法。
【請求項３】
少なくとも１つの毛髪分析領域を確認および／または定義する工程は、ユーザによって少なくとも１つの毛髪分析領域を定義することを含む、請求項１または２に記載の方法。
【請求項４】
ユーザによって少なくとも１つの毛髪分析領域を定義する工程は、毛髪分析領域の位置および／または形状および／またはサイズを定義することを含む、請求項３に記載の方法。
【請求項５】
少なくとも１つの毛髪分析領域を確認および／または定義する工程は、
毛髪がデジタル画像中に描かれる、毛髪表示領域を確認すること、および
毛髪表示領域の少なくとも一部を、少なくとも１つの毛髪分析領域として定義することを含む、請求項１〜３のいずれかに記載の方法。
【請求項６】
前記少なくとも１つの毛髪分析領域が前記毛髪表示領域の全体を含む、請求項５に記載の方法。
【請求項７】
前記少なくとも１つの毛髪分析領域が複数の毛髪表示領域を含む、請求項１〜６のいずれかに記載の方法。
【請求項８】
複数の毛髪分析領域がそれらの中心点位置において互いに異なる、請求項７に記載の方法。
【請求項９】
複数の毛髪分析領域がそれらのサイズにおいて互いに異なる、請求項８に記載の方法。
【請求項１０】
複数の毛髪分析領域が共通の中心点位置を有する、請求項９に記載の方法。
【請求項１１】
毛髪分析領域の中心点位置に対する、確認された真直度値の関係を作成する工程をさらに含む、請求項８に記載の方法。
【請求項１２】
毛髪分析領域のサイズに対する、ヘアスタイルの確認された真直度値の関係を作成する工程をさらに含む、請求項８に記載の方法。
【請求項１３】
決定された結果を表示する工程をさらに含む、請求項１〜１２のいずれかに記載の方法。
【請求項１４】
データ処理装置、および
表示装置
を含み、ここで、該装置は、請求項１〜１３のいずれかに記載の方法を実行するように設計されている、ヘアスタイルの真直度値を決定するための装置。
【請求項１５】
以下の工程：
ａ）請求項１〜１３のいずれかに記載の方法によって個人のヘアスタイルの真直度値を確認する工程、および
ｂ）確認された真直度値に応じて個別のトリートメント指示を出力する工程
を含むことを特徴とする、個別対応型のヘアトリートメントのための方法。
【手続補正書】
【提出日】令和2年6月1日(2020.6.1)
【手続補正１】
【補正対象書類名】明細書
【補正対象項目名】００３２
【補正方法】変更
【補正の内容】
【００３２】
ここには詳細には記載されていないが、自動化工具管理システム１００は、２０１７年８月２２日に発行され、その全体がここに引用により援用される米国特許第９，７４１，０１４号に記載されるような自動化工具管理（ＡＴＣ）機能性を含む。特に、自動化工具管理システム１００は、物品を保管するための複数の保管場所と、複数の保管場所における物品の有無を感知するように構成された少なくとも１つの感知システムと、プロセッサと、プログラム命令を格納する非一時的なマシン読取可能記録媒体とを含む。少なくとも１つの感知システムは、在庫物品（たとえば、工具、バッテリー、およびバッテリーパック）の有無を示すデータを感知し、在庫物品が存在し得る、または在庫物品が存在しなくなり得る保管場所の画像を取込むカメラなどのセンサを含んでいてもよい。感知システムは、在庫物品が存在するかどうかを示す感知信号を生成するセンサ（たとえばスイッチ）（たとえば、存在する場合に在庫物品によって押し下げられる接触スイッチ、金属製の在庫物品が近くに存在することを感知する容量センサなど）；物品がセンサの通信範囲内、たとえば工具管理システム内にある場合に、在庫物品に配置されたＲＦＩＤタグと通信する無線周波数識別（ＲＦＩＤ）センサなどといった、さまざまな追加または代替センサを含んでいてもよい。動作中、自動化工具管理システム１００は、感知システムを使用して保管場所の走査を行ない、感知システムによって取得された感知データ（たとえば、画像データ、スイッチ出力信号、受信されたＲＦＩＤ信号データなど）を使用して複数の保管場所における任意の在庫物品の有無を判断する。
【手続補正２】
【補正対象書類名】明細書
【補正対象項目名】００５３
【補正方法】変更
【補正の内容】
【００５３】
処理システム１４０および感知システム１５０は概して、工具管理システム１００に存在する在庫品目（たとえば、工具、バッテリー、バッテリーパックなど）を一意的に識別するように構成されている。たとえば、在庫品目上に位置し、一意識別子を含むタグが、他の点では見た目には同じである在庫品目同士を区別するために使用可能であり、処理システム１４０はこのため、その在庫管理機能の一環として、タグの検出を通して、見た目には同じ在庫品目同士を区別することができる。処理システム１４０はこのため、組合された感知技術（たとえば、複数の感知システム１５０が使用される場合、在庫管理およびバッテリー状態監視のために使用される別個の感知システムなど）から取得されたデータを使用して、特定の工具またはバッテリーの充電状態を、充電器に位置する工具またはバッテリーの一意識別（たとえば、バッテリー上の識別子を使用）を通して判断することができる。充電状態はさらに、在庫品目またはバッテリー充電器上の状態表示器（たとえば、ＬＥＤ、灯、またはディスプレイ）の色および／または活動に基づいて、処理システム１４０によって判断される。たとえば、点滅する赤い光は、工具またはバッテリーが現在充電中であることを示してもよく、一方、安定した緑の光は、工具またはバッテリーがフル充電に達したことを示してもよい。処理システム１４０はこのため、状態表示器の監視に基づいて、バッテリー充電器に保管されたバッテリーについてのバッテリー充電状態をユーザおよびシステムアドミニストレータに警告することができる。処理システム１４０はさらに、工具管理システム内で再配置された（たとえば、物品がフル充電に達した後に充電器から保管用引出しへ再配置された）在庫品目を一意的に追跡することができ、このため、物品が充電器から工具保管システム１００内の別の保管場所へ移動された場合でも、物品をフル充電されているとして正確に識別することができる。
【手続補正３】
【補正対象書類名】明細書
【補正対象項目名】００５４
【補正方法】変更
【補正の内容】
【００５４】
なお、前述の説明は、ＬＥＤまたは灯などの状態表示器が使用される例示的な一例に注目してきたが、他のバッテリー状態監視センサを使用することができる。たとえば、物品の充電状態は、工具、バッテリー、またはバッテリーパックの充電中にその工具、バッテリー、またはバッテリーパックに供給された電流または電圧を監視することにより、Ｉ／Ｖ感知に基づいて判断されてもよい（ステップ５０７ｄ）。次に、バッテリー充電器によって引込まれている電流（またはバッテリー充電器に供給されている電圧）が予め定められたしきい値を下回る場合に、フル充電が判断されてもよい（ステップ５０７ｅ〜５０７ｆ）。別の例では、物品の充電状態は、「スマート」工具、バッテリー、または充電器から受信された通信に基づいて判断されてもよい。そのような例では、処理システム１４０は、有線または無線リンクを通して工具、バッテリー、または充電器との通信リンクを確立してもよく、そのリンクを通してその工具、バッテリー、または充電器からの通信を聞くことによってその通信リンクを監視してもよい（ステップ５０７ｇ）。処理システム１４０が工具、バッテリー、または充電器からフル充電に達したことを示す通信を受信した場合に、フル充電が判断されてもよい（ステップ５０７ｈ）。有線または無線リンクは、工具またはバッテリーのマイクロコントローラによって収集され、有線および／または無線リンクを通して自動化工具管理システム１００の通信ベースの感知システム１５０へ通信され得るバッテリー性能に関するデータを含む、処理システム１４０における他の情報を取得するために使用され得る。
【手続補正４】
【補正対象書類名】明細書
【補正対象項目名】００５６
【補正方法】変更
【補正の内容】
【００５６】
工具保管および管理システム１００は、プロセッサと、実行可能プログラム命令を格納する非一時的メモリとを装備しており、実行可能プログラム命令は、プロセッサに、電子的に直接またはネットワークを通して感知システムと通信させ、在庫物品の有無および場所に関する、および工具保管システム１００内の充電器の状態に関するデータを感知システムから取得させるためのものである。充電器の状態は、工具保管および管理システム１００内の充電器の、またはそこに保管された再充電可能な在庫物品の表示灯の色および／または活動を感知することによって追跡され得る。充電器の状態は、Ｉ／Ｖ感知、ならびに／もしくは、有線または無線通信用に構成された充電器および工具との通信などの他の手段を通して追跡され得る。
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
吸着剤粒子を支持するフィルタ支持体を備えるエアフィルタであって、前記吸着剤粒子の少なくともいくつかは、多孔質であり、ポリマー材料であって、
ａ）ｉ）１５〜６５重量％の、式（Ｉ）、式（ＩＩ）、又はこれらの混合物で表される第１のモノマー単位、
【化１】
2020500694.tif 000001
ｉｉ）３０〜８５重量％の、式（ＩＩＩ）で表される第２のモノマー単位、及び
【化２】
2020500694.tif 000002
ｉｉｉ）０〜４０重量％（又は５〜４０重量％）の、式（ＩＶ）で表される第３のモノマー単位
【化３】
2020500694.tif 000003
（式中、Ｒ１は水素又はアルキルである）
を含むポリマーと、
ｂ）前記ポリマー材料１ｇ当たり少なくとも１．５ｍｍｏｌに相当する量で前記ポリマー材料中に組み込まれた二価金属と、
を含むポリマー材料を含む、エアフィルタ。
【請求項２】
前記フィルタ支持体が、内部を呈する繊維ウェブを含み、前記多孔質ポリマー吸着剤粒子が、前記ウェブの前記内部の少なくとも部分内に配置されている、請求項１に記載のエアフィルタ。
【請求項３】
前記繊維ウェブの少なくともいくつかの繊維がそれぞれ、少なくとも１つの多孔質ポリマー吸着剤粒子に結合されている、請求項２に記載のエアフィルタ。
【請求項４】
前記フィルタ支持体が濾過フェースピース呼吸マスクの層を提供する、請求項１に記載のエアフィルタ。
【請求項５】
前記濾過フェースピース呼吸マスクが、平坦折り畳み式呼吸マスク及び成形された呼吸マスクからなる群から選択される、請求項４に記載のエアフィルタ。
【請求項６】
前記フィルタ支持体が、多孔質ポリマー吸着剤粒子が配置された内部を有し、かつ少なくとも１つの空気吸入口及び少なくとも１つの空気排出口を有する容器を含む、請求項１に記載のエアフィルタ。
【請求項７】
１５０ｇ／ｍｏｌ以下の分子量を有する塩基性窒素含有化合物の少なくともいくらかを空気から捕捉する方法であって、
前記多孔質ポリマー吸着剤粒子が前記空気に曝露されるように、請求項１に記載のエアフィルタを配置することと、
前記塩基性窒素含有化合物の少なくともいくらかを前記多孔質ポリマー吸着剤粒子上に吸着することと、
を含む、方法。
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
第１の端および第２の端を有する本体と、
前記第１の端に回転可能に接続される第１の回転部材であって、前記第１の端が、前記第１の回転部材に設けられる複数の第１のノッチを含む、第１の回転部材と、
前記第２の端に回転可能に接続される第２の回転部材であって、第２の端が、前記第２の回転部材に設けられる複数の第２のノッチを含む、第２の回転部材と、
前記第１の端に移動可能に接続される第１の拡張部材と、
前記第２の端に移動可能に接続される第２の拡張部材と
を備える椎体インプラント。
【請求項２】
前記本体は、
前記第１の端と前記第２の端との中央に配置される少なくとも１つの開口と、
前記少なくとも１つの開口の上に配置される少なくとも１つの第１の係止孔と、
前記少なくとも１つの開口の下に配置される少なくとも１つの第２の係止孔と
をさらに備える、請求項１に記載の椎体インプラント。
【請求項３】
前記第１の係止孔内に配置される第１のポストと、前記第２の係止孔に配置される第２のポストと、前記第１のポストと前記第２のポストとの間に位置する穴とを有する係止プレートであって、前記穴は前記少なくとも１つの開口と同じ中心を持つ、係止プレート    をさらに備える請求項２に記載の椎体インプラント。
【請求項４】
前記係止プレートは、
ねじ付き締結具
をさらに備えており、
前記ねじ付き締結具は前記係止プレートの前記穴及び前記本体の前記少なくとも１つの開口を通って延びており、前記ねじ付き締結具が係止プレートを前記第１の拡張部材及び第２の拡張部材に寄せつけられて配置されることができ、さらなる拡張が妨げられる、請求項３に記載の椎体インプラント。
【請求項５】
前記本体は、
少なくとも２つの中実面と、
少なくとも２つの骨移植窓と、
をさらに備えており、
前記中実面と骨移植窓とは前記本体まわりに交互になっており、
少なくとも１つの中実面は前記開口、前記第１の係止孔および前記第２の係止孔を更に含む、請求項２に記載の椎体インプラント。
【請求項６】
前記第１の回転部材は、
内面を形成する中央孔を更に備えており、前記内面は、
前記内面に配置されるねじ、及び
下の方の端に向かって開放している前記複数の第１のノッチを備えており、そして
前記第２の回転部材は、
内面を形成する中央孔を更に備えており、前記内面は、
前記内面に配置されるねじ、及び
上の方の端に向かって開放している前記複数の第２のノッチを備える、請求項１に記載の椎体装置。
【請求項７】
前記第１の拡張部材は、
上部と；
前記上部から離れるように延びる少なくとも１つの第１の脚部材であって、前記少なくとも１つの第１の脚部材は、
前記少なくとも１つの第１の脚部材の外面に配置され、前記第１の回転部材の前記内面にある前記ねじと係合するように構成されているねじと、
前記少なくとも１つの第１の脚部材の第２の端に配置され、前記本体に接続されるストッパ部材と係合するように構成されている突出部と、
を更に備える第１の脚部材と；
前記少なくとも１つの第１の脚部材の間に配置され、そしてこれに接続される少なくとも１つの第１の支持部材と；
を更に備えており、
前記第２の拡張部材は、
下部と；
前記下部から離れるように延びる少なくとも１つの第２の脚部材であって、前記少なくとも１つの第２の脚部材は、
前記少なくとも１つの第２の脚部材の外面に配置され、前記第２の回転部材の前記内面にある前記ねじと係合するように構成されているねじと、
前記少なくとも１つの第２の脚部材の第２の端に配置され、前記本体に接続されるピンと係合するように構成されている突出部と、
を更に備える第２の脚部材と；
前記少なくとも１つの第２の脚部材の間に配置され、そしてこれに接続される少なくとも１つの第２の支持部材と；
を更に備える、請求項６に記載の椎体装置。
【請求項８】
第１の端および第２の端を有する本体であって、前記本体は、
前記第１の端と前記第２の端との中央に沿って前記本体に配置される少なくとも１つの開口と、
前記少なくとも１つの開口の上に配置される少なくとも１つの第１の係止孔と、
前記少なくとも１つの開口の下に配置される少なくとも１つの第２の係止孔と
を備える本体と、
前記第１の端に接続される第１の回転部材と、
前記第２の端に接続される第２の回転部材と、
前記第１の端に移動可能に接続される第１の拡張部材と、
前記第２の端に移動可能に接続される第２の拡張部材と
を備える椎体装置；及び
前記少なくとも１つの開口、前記少なくとも１つの第１の係止孔および前記少なくとも１つの第２の係止孔の周囲に位置するように寸法が設定されている挿入機器；
を備える伸縮式ケージシステム。
【請求項９】
前記挿入機器は、
把持部材と、
前記把持部材に作用するように寸法が設定されている圧迫スリーブと、
前記圧迫スリーブおよび把持部材を受けるように寸法が設定されている少なくとも１つの回転部材と、
を更に備える、請求項８に記載の伸縮式ケージシステム。
【請求項１０】
前記本体は、
前記少なくとも１つの開口の両側に配置される少なくとも１つの孔であって、前記少なくとも１つの孔は前記把持部材の挿入及び係合に適応している、少なくとも１つの孔
をさらに備える、請求項９に記載の伸縮式ケージシステム。
【請求項１１】
前記少なくとも１つの回転部材は、
第１の端であって、前記第１の端の前記外周まわりに配置される複数の突起を有する第１の端を更に備える、
請求項９に記載の伸縮式ケージシステム。
【請求項１２】
前記少なくとも１つの回転部材は、
第１の端であって、第１の半円形突出部を有し、かつ前記第１の端にある前記第１の突出部まわりに配置される複数の突起を有する第１の端を更に備える、
請求項９に記載の伸縮式ケージシステム。
【請求項１３】
前記少なくとも１つの回転部材は、
第２の端であって、前記第２の端から離れるように延びて、前記回転部材の前記外周まわりの前記第１の半円形突出部の位置に合わせて配置される第２の半円形突出部を有する第２の端を更に備える、
請求項１２に記載の伸縮式ケージシステム。
【手続補正書】
【提出日】令和2年11月9日(2020.11.9)
【手続補正１】
【補正対象書類名】明細書
【補正対象項目名】００１３
【補正方法】変更
【補正の内容】
【００１３】
したがって、カプセルシェルの処理および／または製造するためのシステムおよび方法は、カプセルシェル内のひび割れ形成を低減し、及び／またはカプセルシェル内により少ない量の可塑剤の使用を可能にすることが必要とされる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第５，２００，１９１号明細書
（特許文献２）  米国特許出願公開第２００４／００７１８０８号明細書
（特許文献３）  米国特許第８，７９０，６９２号明細書
（特許文献４）  米国特許第４，７２０，９２４号明細書
（特許文献５）  米国特許出願公開第２０１５／０３４２８９２号明細書
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
ネブライザシステムであって、
周囲空気入口、エーロゾルを保持するチャンバ、薬物リザーバ、前記チャンバと流体連通する加圧ガス入口、および、前記チャンバと連通していて前記エーロゾルを前記チャンバから引き出すことができる空気出口を備えたハウジングを有するネブライザと、
前記ネブライザに結合されていて前記ネブライザの作動を検出するよう動作できる作動検出器と、
前記ネブライザに結合されていて前記チャンバを通る吸息流量を検出するよう動作できる流量検出器と、
前記吸息流量に関するフィードバックをユーザに提供して前記ユーザが前記吸息流量をリアルタイムで調整することができるようにするよう動作できるフィードバック装置とを含む、ネブライザシステム。
【請求項２】
前記ネブライザに結合されていて前記薬物リザーバ中に導入された薬物の種類を識別するよう動作できる薬物識別装置をさらに含む、請求項１記載のネブライザシステム。
【請求項３】
前記ネブライザに結合されていて前記薬物リザーバ内に納められた液体薬物の濃度を識別するよう動作できる濃度検出器を含む、請求項１記載のネブライザシステム。
【請求項４】
前記ネブライザに結合されていて前記チャンバ内のエーロゾル化薬物の粒径分布を測定するよう動作できる粒径検出器をさらに含む、請求項１記載のネブライザシステム。
【請求項５】
前記ネブライザに結合されていて治療の終了に達したときに前記ユーザに前記フィードバック装置を介して知らせるよう動作できる治療終了検出器をさらに含む、請求項１記載のネブライザシステム。
【請求項６】
前記ネブライザに結合されていて治療の終了に達したときに前記ユーザに薬物の残留体積を知らせるよう動作できる残留体積検出器をさらに含む、請求項５記載のネブライザシステム。
【請求項７】
前記ネブライザに結合されていて前記ネブライザの前記加圧ガス入口に結合された加圧ガス供給源の圧力および／または流量を識別するよう動作できる空気供給源検出器をさらに含む、請求項１記載のネブライザシステム。
【請求項８】
前記フィードバック装置は、前記ユーザに投与される呼吸可能な用量を伝えるよう動作できる、請求項７記載のネブライザシステム。
【請求項９】
治療発生回数をログ記録するよう動作できる記憶装置をさらに含む、請求項１記載のネブライザシステム。
【請求項１０】
前記治療終了検出器は、流体の流れ中の隙間によって引き起こされるスパッタを検出するよう動作できるマイクロフォンを含む、請求項５記載のネブライザシステム。
【請求項１１】
前記ネブライザは、前記ガス入口のオリフィスから間隔を置いたバッフルを含み、前記治療終了検出器は、前記バッフルに動作可能に結合された力または圧力センサを含む、請求項５記載のネブライザシステム。
【請求項１２】
前記粒径検出器は、光源および前記光源から間隔を置いた光検出器を含む、請求項４記載のネブライザシステム。
【請求項１３】
前記光源と前記検出器との間に配置されたフーリエレンズをさらに含む、請求項１２記載のネブライザシステム。
【請求項１４】
前記ネブライザは、前記ガス入口のオリフィスから間隔を置いたバッフルを含み、前記粒径検出器は、前記バッフルに動作可能に結合された力または圧力センサを含む、請求項４記載のネブライザシステム。
【請求項１５】
前記残留体積検出器は、前記リザーバに動作可能に結合された容量型センサを含む、請求項６記載のネブライザシステム。
【請求項１６】
前記残留体積検出器は、前記リザーバ内に納められた可動浮動要素および前記浮動要素の位置を検出するよう動作できる静止検出ユニットを含む、請求項６記載のネブライザシステム。
【請求項１７】
前記残留体積検出器は、前記リザーバに結合された圧力センサを含む、請求項６記載のネブライザシステム。
【請求項１８】
前記残留体積検出器は、光源および前記光源から間隔を置いた光検出器を含み、前記光源および前記光検出器の一方が前記リザーバ内に納められている、請求項６記載のネブライザシステム。
【請求項１９】
前記残留体積検出器は、前記リザーバの内面に沿って配置された複数の間隔を置いた導電性ストリップを含む、請求項６記載のネブライザシステム。
【請求項２０】
前記残留体積検出器は、変換器および前記リザーバの底部の上方に間隔を置いた受信機を含む、請求項６記載のネブライザシステム。
【請求項２１】
前記残留体積検出器は、前記リザーバに向けられたカメラを含む、請求項６記載のネブライザシステム。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
歯ホワイトニング物質を自動的に計量分配する装置であって、
前記歯ホワイトニング物質を収容するように構成される流体貯槽と、
出力ポートを有するノズルと、
前記流体貯槽と前記ノズルとの間に連結され、前記流体貯槽から前記ノズルに前記歯ホワイトニング物質を計量分配するように構成される、流体ディスペンサであって、前記歯ホワイトニング物質は、前記出力ポートを介して出力される、流体ディスペンサと、
前記ノズルの前進計量分配方向における視認のために位置付けられ、前記ノズルの前記前進計量分配方向において（ｉ）歯表面又は（ｉｉ）該歯表面以外の表面のいずれかを含む標的表面を感知するように構成される、センサと、
該センサが前記歯表面を検出することに応答して、前記流体貯槽から前記歯ホワイトニング物質を計量分配するよう、前記流体ディスペンサのゲート制御を制御するために、並びに、前記流体ディスペンサが前記歯ホワイトニング物質を計量分配する間に、前記センサが歯表面以外の表面を検出することに応答して、前記流体貯槽からの前記歯ホワイトニング物質の計量分配を停止し或いは無効にするよう、前記流体ディスペンサの前記ゲート制御を停止し或いは無効にするために、前記センサと前記流体貯槽との間に動作的に連結される、コントローラとを含む、
装置。
【請求項２】
前記センサが前記ノズルの前記前進計量分配方向において前記歯表面及び前記歯表面以外の前記表面のうちの少なくとも１つを感知することに応答して前記歯表面及び前記歯表面以外の前記表面のうちの少なくとも１つを示す、少なくとも１つのユーザ知覚可能なフィードバック信号を提供するように構成される、ユーザガイダンスフィードバックモジュールを更に含み、
前記コントローラは、（ｉ）前記センサが前記歯表面を検出することに応答して前記流体貯槽から前記歯ホワイトニング物質を計量分配するよう前記流体ディスペンサの前記ゲート制御を制御するために、並びに、（ｉｉ）前記センサが歯表面以外の前記表面を検出することに応答して前記流体貯槽からの前記歯ホワイトニング物質の計量分配を停止し或いは無効にするよう前記流体ディスペンサの前記ゲート制御を停止し或いは無効にするために、前記ユーザ知覚可能なフィードバック信号に応答してユーザ入力に更に応答する、
請求項１に記載の装置。
【請求項３】
前記流体ディスペンサは、前記流体貯槽と前記ノズルとの間に連結されるポンプを含み、該ポンプは、該ポンプが前記コントローラを介してゲート制御されるのに応答して標的化された量の前記歯ホワイトニング物質を前記流体貯槽から前記ノズルに計量分配するように構成される、請求項１に記載の装置。
【請求項４】
前記センサは、視野を有する表面検出モジュールを更に含み、該表面検出モジュールは、前記視野内の表面の種類を推定するように構成される、請求項１に記載の装置。
【請求項５】
前記センサは、
（Ｉ）少なくとも２つの紫外（ＵＶ）、可視、近赤外（ＮＩＲ）又は赤外波長、及び
（ＩＩ）空気圧
からなる群から選択される、少なくとも１つに応答し、
前記（Ｉ）において、前記センサは、（ｉ）光ファイバ、（ｉｉ）画像センサ、及び（ｉｉｉ）少なくとも１つの光電池で構成される群から選択される少なくとも１つを含む、光センサモジュールを更に含み、
前記（ＩＩ）において、前記センサは、対応する空気流源と連結される圧力センサと、前記ノズルの前記前進計量分配方向において（ｉ）前記歯表面及び（ｉｉ）前記歯表面以外の前記表面と接触するように構成される中空先端空気ノズルとを更に含む、
請求項１に記載の装置。
【請求項６】
前記センサは、（ｉ）歯垢の存在が閾量未満である綺麗な歯表面と（ｉｉ）前記閾量よりも多い歯垢を表す歯表面との間を区別するように更に構成され、前記コントローラは、前記センサが前記閾量よりも多い歯垢を表す前記歯表面を検出することに応答して、前記流体ディスペンサからの前記歯ホワイトニング物質の計量分配を停止し或いは無効にするように更に構成される、請求項１に記載の装置。
【請求項７】
前記ユーザガイダンスフィードバックモジュールは、ホワイトニングルーチンにおける現在の歯表面について、（ｉ）現在の歯表面が、閾量よりも多い歯垢の存在を有し、前記ホワイトニングルーチンを進める前に洗浄されることを必要としていること、（ｉｉ）前記閾量よりも多い歯垢の存在を補償するために、余分な量の歯ホワイトニング物質が計量分配されていること、又は（ｉｉｉ）（ａ）前記現在の歯表面からの歯垢の洗浄を可能にするよう前記ホワイトニングルーチンを休止するか、或いは（ｉｉｉ）（ｂ）歯垢の存在の下で前記余分な量の歯ホワイトニング物質を計量分配する、（ｉｉｉ）ユーザ選択可能なオプションのうちの少なくとも１つ示す、前記少なくとも１つのユーザ知覚可能なフィードバック信号を提供するように、更に構成される、請求項２に記載の装置。
【請求項８】
前記歯表面以外の前記表面は、少なくとも（ｉ）組織表面又は（ｉｉ）前記歯ホワイトニング物質で既に覆われている歯表面の少なくとも一部分を含む、請求項１に記載の装置。
【請求項９】
前記歯ホワイトニング物質を計量分配する前記流体ディスペンサの前記ゲート制御は、限定的な制御された量の前記歯ホワイトニング物質をゲート制御することを含む、請求項１に記載の装置。
【請求項１０】
前記ユーザ知覚可能なフィードバックは、音声信号、視覚信号、触覚信号、及び外部メディアデバイスでの受信のためのデジタルメディア信号出力を介したフィードバックのうちの少なくとも１つを含む、請求項２に記載の装置。
【請求項１１】
前記流体貯槽は、１つの歯ホワイトニングルーチンにおいて歯の完全なセットを治療するのに十分な量の歯ホワイトニング物質を貯蔵するように更に構成される、請求項１に記載の装置。
【請求項１２】
前記歯ホワイトニング物質は、液体、ゲル、又は液体及びゲルの組み合わせを含む、請求項１に記載の装置。
【請求項１３】
当該装置とユーザとの間のインタフェースを提供するように構成されるユーザインタフェースを更に含み、前記ユーザは前記インタフェースを通じて当該装置から情報を受け取ることができ、該情報は、前記ノズルが歯表面以外の表面に向いているという表示を含む、請求項１に記載の装置。